(57)【要約】【課題】洗浄むらのない、均一な音圧分布をもつ超音波洗浄装置を提供することを目的とする。【解決手段】超音波振動体は複数枚の平板状超音波振動素子が並べて配置された複合素子配置構造を有し、複数枚の平板状超音波振動素子のおのおのは、所定の小放射領域に対して平坦状の超音波放射特性を有する小型形状を有し、更に、超音波振動素子の厚み方向にスリット加工が施され、かつ、超音波の広がりをθとした場合、５°≦θとなるように形成され、複数枚の平板状超音波振動素子の隣接振動子相互間の境目においても超音波音圧の低下が抑制されて超音波振動体の全面において実質上均一な超音波放射特性が得られるように構成されたことを特徴とする。【選択図】      図１
2004249212.tif 000002
【特許請求の範囲】
【請求項１】
洗浄液が溜められた洗浄槽と、該洗浄槽内の該洗浄液に５００ｋＨｚ以上の超音波振動を伝搬させるための超音波振動体とを備えた超音波洗浄装置であって、
前記超音波振動体は複数枚の平板状超音波振動素子が並べて配置された複合素子配置構造を有し、該複数枚の平板状超音波振動素子のおのおのは、所定の小放射領域に対して平坦状の超音波放射特性を有する小型形状を有し、かつ、超音波の広がりをθとした場合、５°≦θとなるように形成され、前記複数枚の平板状超音波振動素子の隣接振動子相互間の境目においても超音波音圧の低下が抑制されて前記超音波振動体の全面において実質上均一な超音波放射特性が得られるように構成されたことを特徴とする超音波洗浄装置。
【請求項２】
洗浄液が溜められた洗浄槽と、該洗浄槽内の該洗浄液に５００ｋＨｚ以上の超音波振動を伝搬させるための超音波振動体とを備えた超音波洗浄装置であって、
前記超音波振動体は複数枚の平板状超音波振動素子が並べて配置された複合素子配置構造を有し、該複数枚の平板状超音波振動素子のおのおのは、所定の放射領域に対して平坦状の超音波放射特性を有する形状を有し、前記超音波振動素子の厚み方向にスリット加工が施され、かつ、超音波の広がりをθとした場合、５°≦θとなるように形成され、前記複数枚の平板状超音波振動素子の隣接振動子相互間の境目においても超音波音圧の低下が抑制されて前記超音波振動体の全面において実質上均一な超音波放射特性が得られるように構成されたことを特徴とする超音波洗浄装置。
【発明の詳細な説明】
【０００１】
【発明の属する技術分野】
本発明は、半導体ウエハー，ガラスマスク，液晶ガラス基板，ハードディスク板等の精密洗浄を行う高周波超音波洗浄装置に関するものである。
【０００２】
【従来の技術】
従来の超音波洗浄装置は、５００ＫＨｚから１．５ＭＨｚの超音波振動子が底面に取り付けられ、その超音波振動子の振動周波数を、中心周波数に対して±５％の範囲で一定の周期で繰り返し変化させることにより洗浄のむらをなくしている。（例えば、特許文献１参照。）。
【０００３】
【特許文献１】
特第２７８９１７８号公報（第１頁、１欄）
【０００４】
図１１は、従来の超音波洗浄装置例であり、半導体ウエハー，液晶用のガラス，ハードディスク板等の微細加工品の精密洗浄には、５００ＫＨｚ以上の高周波の超音波振動体が用いられている。汚れは１μｍ以下の粒子等であり、洗浄槽１の中に満たされた洗浄液２の中を伝わる超音波振動、あるいは、洗浄液２と超音波振動の相乗効果により、被洗浄物の汚れを剥離させている。
超音波洗浄装置では、洗浄する対象物の大きさに合わせて、適当な大きさの平板状の超音波振動素子４を１枚あるいは複数枚の組み合わせにより、被洗浄物に満遍なく超音波振動が照射されるように超音波振動素子４を並べて配置する。この照射される超音波の均一性は音圧分布を測定することにより評価される。
【０００５】
【発明が解決しようとする課題】
従来、図１１に示されるように、比較的小型の被洗浄物に対しては、超音波振動素子４の１枚の大きさが大きい素子を使用すれば、複数枚組み合わせても少ない枚数なので、比較的均一な音圧分布を得ることが可能であった。
超音波振動素子４を多数枚用いたとき、音圧分布の不均一性が無視できなくなる主な要因としては、素子と素子の境目で超音波が出ていない領域の拡大が挙げられる。このため、被洗浄物の大型化、かつ、加工の微細化に伴い、超音波洗浄を行った際の洗浄むらが無視できなくなってきた。
より大きな超音波振動板３で、均一に洗浄できるように、従来は、超音波洗浄装置では振動素子の境目で音圧が低下することを考慮して、被洗浄物の置き方を工夫すること、被洗浄物を回転させて均一性を確保することなど、外形の異なる被洗浄物毎に固有な方策がとられて行われていた。
一般に、長方形の超音波振動素子の指向性に関して、発振周波数が同じであれば振動素子の幅が大きいほど指向性は鋭い、また、同じ幅であれば周波数が高いほど指向性は鋭い。
従来、用いていた超音波振動素子の幅は大きく、この場合の指向性パターン例を図１２（Ａ）及び音圧分布の概念図を図１２（Ｂ）に示した。更に、図９に示すように、後述する「振動子幅と洗浄液中の超音波の波長の比ｄ／λ」の値が５以上のところでは、指向性は鋭い（超音波の広がりθは、概ね５°以下）ので、超音波振動素子を複数配列したときの音圧分布は素子の境目に音圧が落ち込む範囲が生じることとなる。従来方式（図５  Ｂ詳細Ｉ）では、振動素子幅ｄ０  ＝３７．５ｍｍで、指向性を表す振動子幅と洗浄液中の超音波の波長の比ｄ０  ／λ＝２５（超音波の広がりθは、概ね１°）となる。
従って、年々、ウエハー面積の拡大化、回路パターンの微細化が進む半導体プロセス等では、洗浄の均一性と精密性の点で、従来の洗浄装置では間に合わなくなってきた問題がある。
【０００６】
本発明は、以上の問題を解決するために行ったものであり、洗浄むらのない、均一な音圧分布をもつ超音波洗浄装置を提供することを目的とする。
【０００７】
【課題を解決するための手段】
前記目的を達成するために、本発明による超音波洗浄装置は、洗浄液が溜められた洗浄槽と、該洗浄槽内の該洗浄液に５００ｋＨｚ以上の超音波振動を伝搬させるための超音波振動体とを備えた超音波洗浄装置であって、
前記超音波振動体は複数枚の平板状超音波振動素子が並べて配置された複合素子配置構造を有し、該複数枚の平板状超音波振動素子のおのおのは、所定の小放射領域に対して平坦状の超音波放射特性を有する小型形状を有し、かつ、超音波の広がりをθとした場合、５°≦θとなるように形成され、前記複数枚の平板状超音波振動素子の隣接振動子相互間の境目においても超音波音圧の低下が抑制されて前記超音波振動体の全面において実質上均一な超音波放射特性が得られるように構成されたこと、
更に、洗浄液が溜められた洗浄槽と、該洗浄槽内の該洗浄液に５００ｋＨｚ以上の超音波振動を伝搬させるための超音波振動体とを備えた超音波洗浄装置であって、
前記超音波振動体は複数枚の平板状超音波振動素子が並べて配置された複合素子配置構造を有し、該複数枚の平板状超音波振動素子のおのおのは、所定の放射領域に対して平坦状の超音波放射特性を有する形状を有し、前記超音波振動素子の厚み方向にスリット加工が施され、かつ、超音波の広がりをθとした場合、５°≦θとなるように形成され、前記複数枚の平板状超音波振動素子の隣接振動子相互間の境目においても超音波音圧の低下が抑制されて前記超音波振動体の全面において実質上均一な超音波放射特性が得られるように構成されたことを特徴とする。
【０００８】
【発明の原理】
図６には、高周波電源により振動素子を励振するための振動素子電極（−、＋）５と洗浄液２に超音波振動を発生させる振動板３の構成による超音波振動発生の基本原理を示した。
２枚並んだ超音波振動素子の境目で超音波が出ていない領域は、この指向性に大きく影響されていると考えられる。つまり、指向性が鋭いと超音波が出ていない領域は広く、図１２（Ａ）と比較し、図７（Ａ）に示されるように、指向性が広いと超音波が出ていない領域は狭くなる。
これらのことより、同じ発振周波数を採用するのであれば、より小さな超音波振動素子を多数並べた超音波振動板により、振動素子の境目での音圧の低下が極めて少なく、均一な音圧分布が得られると言える。
【０００９】
図８に示すように、一般に長方形の超音波振動素子において指向性は、
【数１】
2004249212.tif 000003
Ｒ：指向性関数、
ｄ：超音波振動素子の幅寸法、
λ：洗浄液中の超音波の波長、
θ：超音波振動素子中心軸からの角度、
で示され、この指向性関数Ｒは振動素子の中心軸上のある点Ｐの音圧を１としたときの、それと距離が等しく角度θだけ傾いた点Ｐ’の音圧を示している。ここで、指向性の鋭さを評価するために、このＰ’の音圧が８０％すなわちＲ＝０．８になった角度θをもって行うものとする。このθが小さければ指向性は鋭く、大きければ指向性は広いことになる。
この指向性を決める要因となるのは、式（１）中の
【数２】
2004249212.tif 000004
である。
即ち、超音波振動素子の幅と洗浄液中の超音波の波長によって決められることとなる。
この式（１）でＲ＝０．８を満たすｄ／λとθの関係を求めた特性が図９で示されており、ｄ／λ＝５を境にこの値が小さくなれば指向性は広く、音圧分布は均一を得る。
以上のことにより、超音波振動素子は、洗浄液中の超音波の波長に対して、幅をできるだけ小さくすることによって、均一な音圧分布を得ることができる。
ただし、振動素子を極限まで小さくして数多く配置することには、製造コスト面から考えて限度があり、それを解決するためには、図２（ａ）に示されたように、比較的大きな振動素子４にスリット溝加工を施せば、図２（ｂ）〜（ｇ）に示されたように、振動素子の幅は、複数のスリットで区切られて、複数の小幅（スリットピッチ）が形成され、この小幅の振動素子として作用する。なお、スリットの本数は多く、深さは深いほうが良いが、機械的強度との兼ね合いで決定される。
スリットの幅は、音圧分布の均一性の見地から考えると、できるだけ狭い方がよい。
【００１０】
被洗浄物が大型化した今日、振動素子を大型化するには技術的あるいはコスト的に問題が多く、また、従来の大きさの振動素子を多数配置した超音波振動板では、音圧分布が不均一となり、均一な洗浄ができないため、他の振動方式が必要とされる。
【００１１】
【発明の実施の形態】
本発明の超音波洗浄装置の実施例は、図１に示されるように、被洗浄物の入る、洗浄液が溜められた洗浄槽１と、洗浄液２と、被洗浄物の洗浄面に適合した大きさの振動板３と、５００ＫＨｚ以上の超音波振動を発振する小さな平板状の超音波の振動素子４を多数並べて配置された複合素子配置構造を有して、洗浄槽内の洗浄液に超音波振動を伝搬させる超音波振動体とで構成されている。
図２（ａ）〜（ｇ）は超音波振動素子の厚さ方向の法線方向にスリット溝加工を施した振動素子４を配置し、そのスリット溝加工形態は、Ａ詳細（Ｉ）〜（ＶＩ）に示されるように、振動素子の下側（＋極側）にスリットを施したＡ詳細（Ｉ）、（ＩＩＩ）  、（Ｖ）あるいは振動素子の上側（−極側）に施したＡ詳細（ＩＩ）、（ＩＶ）、（ＶＩ）がある。
このように、振動素子４の長さ方向や幅方向さらに格子状に加工した（Ｉ）から（ＶＩ）のスリット形状のうち、いずれか一つを被洗浄物に適するものとして選択して用いればよい。
図３及び図４は、スリット溝加工を施した振動素子４を複数個並べて配置した超音波振動体を用いた超音波洗浄装置であって、図３及び図４のそれぞれに振動素子４（Ｉ）、（ＩＩ）のように異形状の振動素子を組み合わせて並べられた複合素子配置として示された超音波振動体である。配列の仕方は適時、被洗浄物の大きさに適合させればよい。
【００１２】
図５は、本発明による方式であるスリット溝加工を施した超音波振動素子を用いて超音波音圧分布測定実験を行い、その測定状況の概略図が示さている。
超音波の周波数ｆは１ＭＨｚで、洗浄液は水とし、水中を伝搬する超音波の音速は約１５００ｍ／ｓで、このときの洗浄液中の超音波の波長は、λ＝ｖ／ｆの関係式より、λ＝１．５ｍｍとなる。
超音波分布測定では、音圧センサを振動素子の幅方向にゆっくりと移動させ、その音圧値を記録している。
本発明では、振動素子幅に相当するスリットピッチｄ１  ＝１ｍｍであり（図５Ｂ詳細（ＩＩ）参照。）、指向性を表す振動子幅と洗浄液中の超音波の波長の比ｄ１  ／λ＝０．６７となり、従って、本発明による方式はｄ／λ値の小さな範囲０．６７で超音波の広がり値３３°となり（図９参照）、指向性が非常に広いことが示された（図７（Ｂ）及び図８参照。）。振動素子幅をｄ、洗浄液中の超音波の波長をλとした場合、５°≦θを満たすものである。
以上により、本発明による方式は超音波の指向性が広いので、隣り合う振動素子間の音圧は重なり合い、振動素子を組み合わせて並べられた複合素子配置とした超音波振動体の音圧分布は、平坦であることが分かる。
【００１３】
また、この振動素子と振動素子との境目による超音波音圧の不均一性が生じない効果を利用すれば、従来、超音波洗浄装置では、隣り合う振動子相互間の境目で音圧が低下することを考慮して、被洗浄物の形状や置き方と、超音波振動板の振動素子配置が適切になるように被洗浄物に対応した固有の仕様化が行なわれていたが、図３、図４外観図で示したように、振動素子４の配置や形状及び複合した超音波振動体形状は自由に、被洗浄物の洗浄面の大きささえ対応するように考慮すればよい。
以上の実施例詳細説明は、スリットを有した振動素子を例としたが、本発明の他方の方式である、振動素子が小型形状化されて超音波振動体形状とした超音波洗浄装置であっても均一な超音波放射特性が得られることは云うまでもない。
【００１４】
【発明の効果】
図１０には、上記説明による本発明と従来方式を対比した音圧分布特性の一例として示されている。
これより従来方式の超音波振動素子の場合、素子と素子の境目での音圧の低下がはっきり現れていることがわかる。それに対して、本発明による方式の場合、被洗浄物の洗浄範囲での音圧の低下は見られず、音圧分布が均一性を保つことが示されている。
更に、超音波放射特性即ち、音圧分布の均一性を、〔標準偏差率＝音圧値の標準偏差／音圧値の平均値×１００％〕で定義した場合、従来方式の場合の均一性は１０．８％に対し、本発明による方式の場合の均一性は５．２％とばらつきを半減させるものである。
以上詳細に説明したように、本発明を実施することにより、均一な音圧分布を得ることができ、大型でかつ、微細加工品の洗浄に適した超音波洗浄装置を供給することができる。
従来、被洗浄物を回転させて均一性を確保するなど、外形の異なる被洗浄物毎に固有な方策が求められたことが不要となったので、本発明のものは、一つの装置タイプで多様な形の被洗浄物に適応できる汎用性の広がりをもった超音波洗浄装置である。
【図面の簡単な説明】
【図１】本発明の超音波洗浄装置の概略を示す外観図の一例である。
【図２】本発明の超音波洗浄装置の概略を示す外観図の一例と振動素子構造例である。
【図３】本発明の超音波洗浄装置の振動素子配置概略を示す外観図の一例である。
【図４】本発明の超音波洗浄装置の振動素子配置概略を示す外観図の一例である。
【図５】本発明の超音波音圧分布測定の実験構成の概略図である。
【図６】本発明の超音波振動の発生原理図である。
【図７】本発明の超音波振動指向性パターン図例及び音圧分布概念図である。
【図８】本発明の超音波振動指向性の原理図である。
【図９】振動素子幅と洗浄液中超音波の波長の比と超音波の広がりの特性図である。
【図１０】本発明及び従来の超音波音圧分布測定の実験結果の特性図である。
【図１１】従来の超音波洗浄装置の概略を示す外観図の一例である。
【図１２】従来の超音波振動指向性パターン図例及び音圧分布概念図である。
【符号の説明】
１  洗浄槽
２  洗浄液
３  振動板
４  振動素子（Ｉ、ＩＩＩ  ）
５  振動素子電極（−、＋）
【図１】
2004249212.tif 000005
【図２】
2004249212.tif 000006
【図３】
2004249212.tif 000007
【図４】
2004249212.tif 000008
【図５】
2004249212.tif 000009
【図６】
2004249212.tif 000010
【図７】
2004249212.tif 000011
【図８】
2004249212.tif 000012
【図９】
2004249212.tif 000013
【図１０】
2004249212.tif 000014
【図１１】
2004249212.tif 000015
【図１２】
2004249212.tif 000016